(57)【特許請求の範囲】
【請求項１】
複数のデータを蓄積するメモリと；
上記メモリに蓄積されている複数のデータを送信する送信手段と；
上記メモリに蓄積されている複数のデータの状況を、上記メモリへの蓄積順に表示する表示手段と；
上記表示手段に上記状況を表示する際に、上記送信手段による送信中のデータを、上記蓄積順を維持したままで、上記表示手段の表示領域内に表示させるように自動的にスクロールを実行させる表示制御手段と；
を有することを特徴とするデータ通信装置。
【請求項２】
請求項１において、
上記送信手段は、複数回線を介して、複数のデータを同時に送信する手段であり、
上記表示制御手段は、上記送信手段が送信中である複数のデータにおける上記状況を、それぞれが使用している回線を識別可能にしつつ、表示させる手段であることを特徴とするデータ通信装置。
【請求項３】
請求項１において、
上記送信手段は、複数の異なるデータを一括して送信可能である手段であり、
上記表示制御手段は、該一括送信に係る複数のデータのうち上記送信手段が送信を実行中であるデータと、他の送信待機中のデータとを区別して、表示させる手段であることを特徴とするデータ通信装置。
【請求項４】
請求項１において、
上記送信手段は、複数のプロトコルによってデータを送信可能である手段であり、
上記表示制御手段は、上記送信手段がどのプロトコルでデータを送信しているかを識別できるように、上記状況を表示させる手段であることを特徴とするデータ通信装置。
【請求項５】
請求項４において、
上記表示制御手段は、複数のプロトコルが混在した状態で、上記状況を表示させる手段であることを特徴とするデータ通信装置。
【請求項６】
請求項４において、
所望のプロトコルを指定する指定手段を有し、
上記表示制御手段は、上記指定手段が指定したプロトコルについての上記状況を表示させる手段であることを特徴とするデータ通信装置。
【請求項７】
データ通信装置に送信させるために、メモリに蓄積されている複数のデータの状況を、上記メモリへの蓄積順に表示装置に表示させる表示ステップと；
上記メモリに蓄積されているデータのうちで、上記データ通信装置が送信中であるデータがあるか否かを判定する判定ステップと；
上記判定ステップで、送信中のデータがあると判定されたデータを、上記蓄積順を維持したままで、上記表示装置の表示領域内に表示させるように自動的にスクロールを実行させる表示制御ステップと；
を有することを特徴とするデータ処理方法。
【請求項８】
請求項７において、
上記データ通信装置は、複数回線を介して、同時に複数のデータを送信する装置であり、
上記表示制御ステップは、上記データ通信装置が送信中である複数のデータにおける上記状況を、それぞれ、使用している回線を識別可能にしつつ、表示させるステップであることを特徴とするデータ処理方法。
【請求項９】
請求項７において、
上記データ通信装置は、複数の異なるデータを一括して送信することができる装置であり、
上記表示制御ステップは、該一括送信に係る複数のデータのうち上記データ通信装置が送信を実行中であるデータと、他の送信待機中のデータとを区別して、表示させるステップであることを特徴とするデータ処理方法。
【請求項１０】
請求項７において、
上記データ通信装置は、複数のプロトコルによってデータを送信することができる装置であり、
上記表示制御ステップは、上記データ通信装置が、どのプロトコルでデータを送信しているのかを識別できるように、上記状況を表示させるステップであることを特徴とするデータ処理方法。
【請求項１１】
請求項１０において、
上記表示制御ステップは、複数のプロトコルが混在した状態で、上記状況を表示させるステップであることを特徴とするデータ処理方法。
【請求項１２】
請求項１０において、
所望のプロトコルを指定するプロトコル指定ステップを有し、
上記表示制御ステップは、上記プロトコル指定ステップで指定されたプロトコルの上記状況を表示させるステップであることを特徴とするデータ処理方法。
【請求項１３】
データ通信装置に送信させるために、メモリに蓄積されている複数のデータの状況を上記メモリへの蓄積順に表示装置に表示させる手順と；
上記メモリに蓄積されているデータのうちで、上記データ通信装置が送信中であるデータがあるか否かを判定する判定手順と；
上記判定手順で、送信中のデータがあると判定されたデータを、上記蓄積順を維持したままで、上記表示装置の表示領域内に表示させるように自動的にスクロールを実行させる表示制御手順と；
をコンピュータに実行させるプログラムを記憶したコンピュータ読み取り可能な記憶媒体。
【発明の詳細な説明】
【０００１】
【発明の属する技術分野】
本発明は、メモリに蓄積されているデータを送信するデータ通信装置に関し、特に、メモリに蓄積されている複数の送信対象であるデータの状況を、表示させることが可能なデータ通信装置、データ処理方法および記憶媒体に関する。
【０００２】
【従来の技術】
従来、複数の文書をメモリに蓄積し、この蓄積された文書を、順次相手先に送信するファクシミリ装置が知られている。
【０００３】
このようなファクシミリ装置において、操作部に表示パネルを設け、上記メモリに蓄積されている文書の状況（送信待ち、送信中、送信済み等の状況）を、上記表示パネルに表示させる装置が存在している。
【０００４】
ここで、メモリに蓄積されている複数の文書の状況を表示させる場合、メモリに蓄積された順に、上から下へ、または下から上へ、複数文書のリストが表示される。
【０００５】
【発明が解決しようとする課題】
ところで、ファクシミリ装置のようなデータ通信装置においては、メモリに蓄積されている複数の文書が、必ずしもメモリに蓄積された順に送信されるとは限らない。
【０００６】
たとえば、相手先がビジーであるために送信できなかった文書が、リダイヤル待機するために、送信順序が後になった場合や、タイマ送信が指定された文書が、その文書が蓄積されたときよりも後であって、メモリに蓄積された文書よりも後で送信される場合や、また、一括送信（複数の文書を抽出し、この抽出された複数の文書を一括して、同一宛先へ行う送信）の対象となり、メモリに後で蓄積された文書が、先に送信される場合等には、メモリへの蓄積順序と送信順序とが異なる。
【０００７】
このような場合に、メモリに蓄積されている文書の状況を表示させようとすると、上記従来例では、メモリに蓄積した順に従って、文書のリストを表示するので、表示されている文書のリストの先頭（一番上または一番下）が、現在送信中の文書でないことがある。
【０００８】
したがって、上記従来例においては、現在送信中の文書を送信中止したい場合等には、その送信中文書を特定することが困難であるという問題がある。
【０００９】
特に、ファクシミリ装置における操作部の表示パネルが小さいと、全ての文書を表示しきれない場合があり、この場合には、表示をスクロールさせ、対象となる文書を探し出す必要があり、この操作が煩雑であるという問題がある。
【００１０】
また、ファクシミリ装置が複数回線に接続されている場合や、データ通信装置が複数プロトコルをサポートしている場合には、文書の特定が一層困難であるという問題がある。
【００１１】
上記問題は、ファクシミリ装置以外のデータ通信装置においても生じる問題である。
【００１２】
本発明は、送信するためにメモリに蓄積されている複数のデータのうちで、送信中のデータを容易に特定することができるデータ通信装置を提供することを目的とするものである。
【００１３】
また、本発明は、送信するためにメモリに蓄積されている複数のデータの表示形態を変更することによって、送信中のデータを容易に特定することができるデータ通信装置を提供することを目的とするものである。
【００１４】
さらに、本発明は、送信するためにメモリに蓄積されている複数のデータのうちで、送信中のデータをリストの先頭にシフトさせて表示することによって、送信中のデータを容易に特定することができるデータ通信装置を提供することを目的とするものである。
【００１５】
そして、本発明は、送信するためにメモリに蓄積されている複数のデータのうちで、送信中のデータが表示領域に表示されるように、自動的にスクロールさせることによって、送信中のデータを容易に特定することができるデータ通信装置を提供することを目的とするものである。
【００１６】
【課題を解決するための手段】
本発明は、複数のデータを蓄積するメモリと、上記メモリに蓄積されている複数のデータを送信する送信手段と、上記メモリに蓄積されている複数のデータの状況を、上記メモリへの蓄積順に表示する表示手段と、上記表示手段に上記状況を表示する際に、上記送信手段による送信中のデータを、上記蓄積順を維持したままで、上記表示手段の表示領域内に表示させるように自動的にスクロールを実行させる表示制御手段とを有することを特徴とするデータ通信装置である。
【００１７】
【発明の実施の形態および実施例】
［第１の実施例］
図１は、本発明の一実施例であるデジタル複写機ＤＣ１を示すブロック図である。
【００１８】
デジタル複写機ＤＣ１は、コピー機能、ファクシミリ機能、プリント機能の３機能を持つ。
【００１９】
デジタル複写機ＤＣ１は、ＣＰＵ１０と、画像メモリ１１と、メモリコントローラ１２と、ファクシミリ制御部１３と、プリント制御部１４と、読取制御部１５と、表示装置１６と、コーデック１７とを有する。
【００２０】
画像メモリ１１は、様々なデータを蓄積するメモリ領域であり、読取制御部１５が原稿上の画像を読み取って得た文書や、ファクシミリ制御部１３が受信した文書等、複数のファクシミリ送信文書を蓄積することができる。
【００２１】
メモリコントローラ１２は、ファクシミリ制御部１３等からデータを受け取り、この受け取ったデータをコーデック１７が圧縮した後に、再び受け取り、画像メモリ１１の中のどの領域に格納するかを割り振り、上記圧縮データを、画像メモリ１１ヘ送る。また、逆に、それぞれの領域からデータを受け取り、コーデック１７へデータを渡し、コーデック１７が伸長したデータを、再び受け取り、それぞれの制御部へ送る。
【００２２】
ファクシミリ制御部１３は、ファクシミリ機能の制御を行い、メモリコントローラ１２との間で、データのやりとりを行う。また、ファクシミリ制御部１３は複数の電話回線を収容し、これらを用いて、複数の通信を同時に実行することができる。また、画像メモリ１１に、同一宛先の送信文書が複数蓄積されている場合、これら複数の文書を、一回の通信で、一括して送信することもできる。
【００２３】
プリント制御部１４は、プリントジョブの制御を行い、メモリコントローラ１２との間で、データのやりとりを行う。
【００２４】
読取制御部１５は、読取機能を制御し、メモリコントローラ１２との間でデータをやりとりする。
【００２５】
表示装置１６は、メモリコントローラ１２から受信した情報に基づいて、種々の情報（ファクシミリ状況、紙なし、インク切れ等の情報）を表示する液晶表示部である。
【００２６】
ファクシミリ状況表示では、一画面に送信文書の履歴（状況）を、同時に表示することができ、一画面に表示しきれない場合には、所定の操作で画面をスクロールさせて表示する。
【００２７】
また、履歴には受付時間（画像メモリ１１に蓄積された時間）、宛先名、ファクシミリ番号、文書を特定する送信番号、送信状況が表示される。なお、送信状況を表示する場合、送信開始されると「送信中」を表示するとともに、網掛け表示になるが、一括送信の場合は、実際に送信されている文書のみが網掛けになり、他の一括送信対象で送信待機している文書は網掛けとはならず、「送信中」のみが表示される。
【００２８】
また、送信処理に入っていない文書は、「送信待ち」と表示される。そして、送信後も、画像メモリ１１に残すように設定され、送信終了後に蓄積されている文書があれば、「送信済み」と表示される。なお、この液晶表示部は、タッチパネル形式であり、表示された文書を選択し、送信の中止を指示したり、プリント制御部１４によるプリントを指示したり、その文書の詳細な情報の表示に切り替えることができる。
【００２９】
コーデック１７は、メモリコントローラ１２からのデータを受け取り、圧縮・伸長し、メモリコントローラ１２ヘ圧縮・伸長したデータを再び渡す。
【００３０】
次に、上記実施例の動作について説明する。
【００３１】
図１に示すデジタル複写機ＤＣ１が、２回線収容し、回線Ｌ１を用いて、宛先Ｉへ、文書１、２、３、４、５、６を送信し、回線Ｌ２を用いて宛先ＩＩへ、文書Ａを送信するものとする。なお、宛先Ｉへの送信は、一括送信になる。
【００３２】
そして、宛先ごとに送信処理に入るが、送信処理に入ったことを「送信中」と呼び、まさに現在送信が行われていること（電話回線上を文書が流れている状態）を、特に「送信実行中」（または「現在送信中」）と呼ぶ。特に断らない場合は、「送信中」、「送信実行中」ともに「送信中」と表現するものとする。
【００３３】
ここで、現在、文書１、Ａが、それぞれ宛先Ｉ、ＩＩへ送信中であるとする。図２は、上記実施例におけるメモリコントローラ１２が記憶している文書の内容の一例を示す図である。
【００３４】
図２に示すものは、ファクシミリ送信文書１、２、３、４、５、６、Ａが、画像メモリ１１に蓄積されている場合に、画像メモリ１１に記憶されている状態を表している。
【００３５】
この場合、文書１→２→３→４→５→６→Ａの順に、画像メモリ１１に入力されたとし、送信前の状態では、送信状況画面を表示装置１６に表示させた場合、この入力順に、上から表示される。そして、回線Ｌ１から文書１の送信を開始し、回線Ｌ２から文書Ａの送信を開始しても、蓄積領域は変更されない。
【００３６】
図３は、上記実施例において、表示装置１６が表示している送信状況画面を示す図である。
【００３７】
図３（１）は、表示装置１６が表示している送信状況画面の一画面目を示す図であり、図３（２）は、表示装置１６が表示している送信状況画面の二画面目を示す図である。
【００３８】
ここで、表示装置１６に表示されている送信状況（送信履歴）は、一画面に５件分が表示され、５件よりも多い送信履歴は、所定の操作でスクロールさせることによって、次ページ（次画面）に表示されるものとする。
【００３９】
上記例の状態で、送信が開始されるまでは、ファクシミリ状況画面の表示は、画像メモリ１１に蓄積された順である。送信が開始されても、このままであった場合、宛先ＩＩへの文書Ａの送信を中止させたければ、画像メモリ１１に先に蓄積されている文書２〜６の後に存在する文書Ａの履歴を探すために、画面のスクロールを行う必要が生じる。
【００４０】
上記実施例では、図３（１）に示すように、現在送信中の文書をファクシミリ状況画面表示の上位にシフトして表示させるので、送信状況画面の一画面目の先頭（この例では一番上）になり、宛先ＩＩに送信している回線Ｌ２を用いた送信を中止する操作が容易である。この表示において、所望の文書をタッチし、送信の中止を指示することができる。網掛けの文書の中止を指示した場合は、送信が開始されたページまで送信し、その後のページの送信を中止することによって送信を終了し、以後は、回線を切断する。網掛け以外の文書を選択し、中止を指示した場合、送信開始前に送信処理を中止する。網掛けの文書が、現在送信中（送信実行中）の文書である。
【００４１】
また、一括送信を開始すると、一括送信される文書（現在の送信処理で送信対象となった文書の全て）は、上記画面上で全て「送信中」になるが、実際に送信中の文書（ここでは文書１、Ａ）が、上位に表示されている。
【００４２】
文書１の送信が終了し、文書２に移ると、文書２の履歴が上位にシフトする。ここでは示していないが、その間に、他の宛先への送信待機文書が存在しても、それをスキップして上位にシフトさせる。また、特に、文書の選択を行わずに中止の指示を行った場合、実際に送信中の文書（網掛け表示されているもの）が中止対象になるが、２回線を使用して２つの文書が送信中である場合、どちらを中止するかを問い合わせる表示が行われる。そして、中止が指示された場合、既に送信した文書以外が、再送対象になる。
【００４３】
次に、本実施例において、ファクシミリ送信履歴を表示させる際の動作について説明する。
【００４４】
図４は、本実施例において、ファクシミリ送信履歴を表示させる動作を示すフローチャートである。
【００４５】
このフローチャートは、メモリコントローラ１２に記憶されたプログラムに基づいて、ＣＰＵ１０が行う制御に基づくものである。
【００４６】
まず、複数文書の一括送信を含む同時刻送信が開始されているか否かを検出し（Ｓ１）、一括送信を含む同時刻送信が開始されていれば（Ｓ１）、画像メモリ１１に蓄積されている順に、蓄積された一括送信の文書の情報を読み出し（Ｓ２）、この読み出された情報が、現在送信実行中（電話回線上を流れている）の文書の情報であるか否かを判断し（Ｓ３）、読み出された情報が現在送信中の文書の情報であれば（Ｓ３）、送信履歴表示の１行目に、現在送信実行中の文書の履歴表示があるか否かを判断する（Ｓ４）。
【００４７】
送信履歴表示の１行目に、現在送信実行中の文書の履歴表示があれば（Ｓ４）、ステップＳ２で取り出された送信文書の履歴を、２行目に表示し（Ｓ５）、送信履歴表示の１行目に、現在送信実行中の文書の履歴表示がなければ（Ｓ４）、ステップＳ２で取り出された送信文書の履歴を、１行目に表示する（Ｓ６）。
【００４８】
一方、読み出された情報が現在送信実行中の文書でなければ（Ｓ３）、３行目以降に、順に表示する（Ｓ７）。
【００４９】
そして、ファクシミリ状況画面にまだ表示されていない蓄積文書があれば（Ｓ８）、画像メモリ１１に蓄積されている順に、蓄積されている一括送信の文書の情報を読み出す（Ｓ２）。
【００５０】
ところで、一括送信を含む同時刻送信がまだ開始されていなければ、画像メモリ１１に蓄積された順に、そのまま、ファクシミリ状況画面に送信履歴として表示する（Ｓ９）。
【００５１】
なお、画像通信機能を有するパソコン等、ファクシミリ装置以外の画像通信装置に、上記実施例を適用するようにしてもよい。
【００５２】
また、上記実施例を、コンピュータ読み取り可能な記憶媒体として把握することができる。つまり、上記実施例は、データ通信装置に送信させるために、メモリに蓄積されている複数のデータの状況を表示装置に表示させる手順と、上記メモリに蓄積されているデータのうちで、上記データ通信装置が送信中であるデータがあるか否かを判定する判定手順と、上記判定手順で、送信中のデータがあると判定されたデータの表示順を、変更する表示変更手順とをコンピュータに実行させるプログラムを記憶したコンピュータ読み取り可能な記憶媒体の例である。
【００５３】
なお、上記記憶媒体として、ＦＤ、ＣＤ、ＤＶＤ、ＨＤ、半導体メモリ等を想定することができる。
【００５４】
また、上記実施例では、現在送信中の文書を上位にシフトさせて表示するが、上下を逆にして一番下位に表示させるようにしてもよい。
【００５５】
また、表示順のシフトのほかに、表示順は蓄積順のままとして、文書の送信開始に従って、自動的にスクロールを実行させ、表示装置１６の表示領域内に、現在送信中の文書を表示させるようにしてもよい。ただし、この場合、上記実施例のように２回線収容した装置であれば、いずれの回線で送信中の文書を表示させるかを指定する操作を追加する。
【００５６】
［第２の実施例］
第１の実施例は、ファクシミリ装置であるが、第２の実施例は、複数のプロトコルをサポートしているデジタル複合機（データ通信装置）である。
【００５７】
図５は、本発明の第２の実施例であるデータ通信装置ＤＣ２を接続したシステム構成図を示す。
【００５８】
デジタル複合機ＤＣ２は、原稿を読み取り、さまざまなプロトコルでデータを送信することができるデータ通信装置である。
【００５９】
プリンタ１００２は、デジタル複合機ＤＣ２から送信された印刷データに基づく画像を印刷可能な印刷装置である。ファクシミリ１００３は、デジタル複合機ＤＣ２から送信されたファクシミリデータを受信可能なファクシミリ装置である。データベース／メールサーバ１００４は、デジタル複合機ＤＣ２から送信されたデータベース用データや電子メールデータを交換するコンピュータである。
【００６０】
クライアントコンピュータ１００５は、データベース／メールサーバ１００４に接続し、取り込んだデータに基づく画像を蓄積し、表示するコンピュータである。ネットワーク１００６に、デジタル複合機ＤＣ２、プリンタ１００２、ファクシミリ１００３、データベース／メールサーバ１００４、クライアントコンピュータ１００５等の複数の装置が接続され、所定のプロトコルでデータのやり取りを行うネットワークである。電話回線１００７は、デジタル複合機ＤＣ２の内部のモデムを介して、外部公衆回線網に接続されている。
【００６１】
図６は、デジタル複合機ＤＣ２の構成を示すシステムブロック図である。
【００６２】
Ｃｏｎｔｒｏｌｌｅｒ  Ｕｎｉｔ２０００は、画像入力デバイスであるＳｃａｎｎｅｒ２０７０や、画像出力デバイスであるＰｒｉｎｔｅｒ２０９５と接続し、一方では、ＬＡＮ２０１１（ネットワーク１００６）や、公衆回線（ＷＡＮ）２０５１（電話回線１００７）と接続することによって、画像情報やデバイス情報の入出力を行うコントローラである。
【００６３】
ＣＰＵ２００１は、システム全体を制御するコントローラである。ＲＡＭ２００２は、ＣＰＵ２００２が動作するためのシステムワークメモリであり、画像データを一時記憶する画像メモリでもある。ＲＯＭ２００３は、ブートＲＯＭであり、システムのブートプログラムが格納されている。ＨＤＤ２００４は、ハードディスクドライブで、システムソフトウェア、画像データを格納する。
【００６４】
操作部Ｉ／Ｆ２００６は、操作部（ＵＩ）２０１２とのインタフェース部であり、表示装置２０１３に表示する画像データを操作部２０１２に対して出力する。また、操作部２０１２から本システムの使用者が入力した情報を、ＣＰＵ２００１に伝える役割をする。
【００６５】
表示装置２０１３は、Ｃｏｎｔｒｏｌｌｅｒ  Ｕｎｉｔ２０００から受信した情報に基づいて、種々の情報（送信状況、紙なし、インク切れ等の情報）を表示するタッチパネル形式の液晶表示部である。送信状況表示では、一画面に送信文書の履歴（状況）を複数同時に表示可能であり、一画面に表示しきれない場合、所定の操作で、画面をスクロールさせて表示する。
【００６６】
また、履歴には、受付時間（ＨＤＤ２００４に蓄積された時間）、宛先名、宛先アドレス、文書を特定するための送信番号、送信状況が表示される。なお、送信を開始すると、「送信中」を表示するとともに、網掛け表示になるが、一括送信の場合は、実際に送信されている文書のみが網掛けになり、他の一括送信対象で送信待機している文書は、網掛けとならずに、「送信中」のみが表示される。
【００６７】
この表示は、プロトコルの種類が複数である点（プロトコルの種類に依存する情報）を除いては、第１の実施例の場合とほぼ同じである。
【００６８】
ＮｅｔｗｏｒｋＩ／Ｆ２０１０は、ＬＡＮ２０１１に接続し、情報の入出力を行う。Ｍｏｄｅｍ２０５０は、公衆回線２０５１に接続し、情報の入出力を行う。また、複数回線を収容し、これらを用いて同時に複数の通信を実行可能である。さらに、ＨＤＤ２００４内に、同一宛先の送信文書がある場合、それらを一回の通信で一括して送信することもできる。
【００６９】
また、上記各デバイスが、システムバス２００７上に配置されている。
【００７０】
Ｉｍａｇｅ  ＢｕｓＩ／Ｆ２００５は、システムバス２００７との間で、画像データを、高速で転送する画像バス２００８を接続し、データ構造を変換するバスブリッジである。画像バス２００８は、ＰＣＩバスまたはＩＥＥＥ１３９４で構成されている。
【００７１】
画像バス２００８上には、以下のデバイスが配置されている。
【００７２】
ラスターイメージプロセッサ（ＲＩＰ）２０６０は、ＰＤＬコードをビットマップイメージに展開する。デバイスＩ／Ｆ部２０２０は、画像入出力デバイスであるスキャナ２０７０や、プリンタ２０９５と、コントローラ２０００を接続し、画像データの同期系／非同期系の変換を行う。
【００７３】
スキャナ画像処理部２０８０は、入力画像データについて、補正、加工、編集を行う。プリンタ画像処理部は、プリント出力画像データについて、プリンタ形式に応じた補正、解像度変換等を行う。画像回転部２０３０は、画像データの回転を行う。画像圧縮部２０４０は、多値画像データについて、ＪＰＥＧの圧縮伸張処理を行い、２値画像データについて、ＪＢＩＧ、ＭＭＲ、ＭＨの圧縮伸張処理を行う。
【００７４】
そして、デジタル複合機ＤＣ２は、少なくともＬＡＮ２０１１、公衆回線２０５１を介して、ファクシミリ送信、電子メール送信を行うことが可能である。つまり、スキャナ２０７０で読み取った画像を、添付ファイルとして電子メールを送信するインターネットファクシミリ（ＩＦＡＸ）送信を含む、画像ファイル等のｆｔｐ（ｆｉｌｅ  ｔｒａｎｓｆｅｒ  ｐｒｏｔｏｃｏｌ）を実行する。
【００７５】
図７は、デジタル複合機ＤＣ２におけるＲＡＭ２００２が記憶している文書の内容の一例を示す図である。
【００７６】
デジタル複合機ＤＣ２は、ＲＡＭ２００２に文書を入力する順に、つまり、文書１、２、３、４、５、６、７、８の順に蓄積し、文書１〜８の内容は、次の通りである。
【００７７】
文書１の内容は、受付時刻（蓄積時刻）１０：００、宛先０３−１１１１−１１１１へのＦＡＸ回線１の設定である。
【００７８】
文書２の内容は、受付時刻（蓄積時刻）１０：０５、宛先０３−１１１１−１１１１へのＦＡＸ回線１の設定である。
【００７９】
文書３の内容は、受付時刻（蓄積時刻）１０：１０、宛先０３−１１１１−１１１１へのＦＡＸ回線１の設定である。
【００８０】
文書４の内容は、受付時刻（蓄積時刻）１０：１５、宛先０３−１１１１−１１１１へのＦＡＸ回線１の設定である。
【００８１】
文書５の内容は、受付時刻（蓄積時刻）１０：２０、宛先０３−１１１１−１１１１へのＦＡＸ回線１の設定である。
【００８２】
文書６の内容は、受付時刻（蓄積時刻）１０：２５、宛先０３−２２２２−２２２２へのＦＡＸ回線２の設定である。
【００８３】
文書７の内容は、受付時刻（蓄積時刻）１０：３０、宛先０３−３３３３−３３３３へのＦＡＸ回線１の設定である。
【００８４】
文書８の内容は、受付時刻（蓄積時刻）１０：３５、宛先ｔｅｓｔ＠ＸＸＸ．ｃｏ．ｊｐへのメール（ＩＦＡＸ）送信の設定である。
【００８５】
図８は、デジタル複合機ＤＣ２において、表示装置２０１３が表示している送信状況画面の一画面目を示す図である。
【００８６】
図９は、デジタル複合機ＤＣ２において、送信状況画面の二画面目を示す図である。
【００８７】
また、画面中の「ＦＡＸ」、「ＩＦＡＸ」、「ｆｔｐ」、「ＡＬＬ」は、オペレータによって操作可能なボタンであり、「ＦＡＸ」、「ＩＦＡＸ」、「ｆｔｐ」ボタンを押下することによって、各送信プロトコルのみの送信状況の表示が可能になり、「ＡＬＬ」ボタンを押下することによって、全ての送信ジョブを表示することが可能になる。
【００８８】
ここで、表示装置２０１３に表示される送信状況（送信履歴）は、一画面に５件分が表示され、５件よりも多い送信履歴は、所定の操作でスクロールさせることによって、次ページ（次画面）に表示される。
【００８９】
この状態で、送信が開始されるまで、送信状況画面の表示は、ＲＡＭ２００２に蓄積された順（文書１、２、３、４、５、６、７、８の順）である。送信が開始されても、上記蓄積順で表示する場合、宛先ＩＩの文書６の送信を中止させたけ
れば、ＲＡＭ２００２に先に蓄積されている文書１〜５の後に存在する文書６の履歴を探すために、画面のスクロールを行う必要が生じる可能性がある。
【００９０】
デジタル複合機ＤＣ２では、図８に示すように、現在送信中の文書（文書１、６、８）を、送信状況画面表示の上位に表示させるので、宛先ＩＩや宛先ＩＩＩに送信
している送信の中止も容易である。
【００９１】
また、一括送信を開始すると、一括送信される文書（文書１、２、３、４、５）は、上記画面上で、全て「送信中」になるが、送信を中止させることができる対象は、文書の選択を行わずに、中止の指示を行った場合、実際に送信中の文書（文書１）のみであり、その文書が上位に表示されている。文書１の送信が終了し、文書２に移ると、文書２の履歴が上位にシフトする。ここでは示していないが、その間に他の宛先への送信待機文書（タイマ送信等）が存在しても、それをスキップして上位にシフトさせる。また送信中に中止の指示を行った場合、実際に送信中の文書（網掛け表示されているもの）が、中止対象になる。なお、デジタル複合機ＤＣ２においても、中止に関する処理は、第１の実施例で説明したものと同様の処理である。
【００９２】
図１０は、図８に示す画面中の「ＦＡＸ」ボタンが押下されたときにおける送信状況画面を示す図である。
【００９３】
次に、デジタル複合機ＤＣ２において、送信履歴を表示させる動作について説明する。
【００９４】
図１１は、デジタル複合機ＤＣ２において、送信履歴を表示させる動作を示すフローチャートである。
【００９５】
まず、Ｓ１１では、図７に示すＲＡＭ２００２から、記憶されている文書順（最初は文書１）に、該当文書の送信中、送信待ちといった送信状況情報と、中止対象文書（この例の場合、文書１、６、８）であるか否かを示す情報とを取得する。
【００９６】
Ｓ１２では、該当文書が現在、送信処理対象であり、「送信中」（一括送信時のように「送信中」と表示するものを含む）と表示すべきものである場合には、ステップＳ１３へ進み、送信待ち（タイマ送信待ちも含む）等の「送信中」表示以外の状況である場合には、ステップＳ１６へ進む。
【００９７】
Ｓ１３では、該当文書が現在まさに送信中の文書（送信実行中）である場合（本実施例の場合文書１、６、８）は、ステップＳ１４へ進み、送信実行中の文書でない場合（一括送信時の送信している文書以外の文書で表示上でのみ「送信中」と表示しているもの等）は、ステップＳ１５へ進む。
【００９８】
Ｓ１４では、送信履歴の「送信中」を表示し、しかも、送信実行中の文書における表示の最後尾に、該当送信文書履歴を表示する。これと同様に、Ｓ１５では、送信履歴の「送信中」の表示の最後尾に、該当送信文書履歴を表示し、Ｓ１６では、送信履歴の最後尾に、該当送信文書履歴を表示する。
【００９９】
Ｓ１７では、まだ表示されていない蓄積文書があれば、ステップＳ１１に戻り、全て表示したときには、送信文書履歴表示シーケンスから抜ける。
【０１００】
図１２は、デジタル複合機ＤＣ２において、ユーザが選択したプロトコルの送信履歴を表示させる動作を示すフローチャートである。
【０１０１】
まず、Ｓ２０では、送信プロトコル選択ボタンＦＡＸ、ＩＦＡＸ、ｆｔｐをユーザが押下したときにおける選択キー情報を取得する。ここで、ＡＬＬが選択されたと判断すると、全ての送信ジョブを表示することを意味する。
【０１０２】
次に、Ｓ２１では、ＲＡＭ２００２に記憶している文書順（最初は文書１）に、該当文書の送信中、送信待ちといった送信状況情報、中止対象文書（上記実施例の場合文書１、６、８）であるか否かを示す情報と、送信プロトコル情報とを取得する。
【０１０３】
Ｓ２２では、該当文書の送信プロトコルが、ステップＳ２０で選択された送信プロトコル情報と一致するか否かをチェックし、一致すれば、ステップＳ２３へ進み、一致しなければ、ステップＳ２８へ進む。さらに、ステップＳ２０でＡＬＬが選択されると、ステップＳ２３へ進む。
【０１０４】
Ｓ２３では、該当文書が現在、送信処理対象であり、「送信中」（一括送信時のように「送信中」と表示するものを含む）と表示すべきものである場合には、ステップＳ２４へ進み、送信待ち（タイマ送信待ちも含む）等の「送信中」表示以外の状況である場合には、ステップＳ２７へ進む。
【０１０５】
Ｓ２４では、該当文書が現在まさに送信中（送信実行中）である場合（本実施例の場合文書１、６、８）は、ステップＳ２５へ進み、送信実行中の文書でない場合（一括送信時の送信している文書以外の文書で表示上でのみ「送信中」と表示しているもの等）は、ステップＳ２６へ進む。
【０１０６】
Ｓ２５では、送信履歴の「送信中」を表示し、しかも、送信実行中の文書における表示の最後尾に、該当送信文書履歴を表示する。
【０１０７】
Ｓ２６では、送信履歴の「送信中」表示の最後尾に、該当送信文書履歴を表示する。Ｓ２７では、送信履歴の最後尾に、該当送信文書履歴を表示する。
【０１０８】
Ｓ２８では、まだ表示されていない蓄積文書があれば、ステップＳ２１に戻り、全て表示したときには、送信文書履歴表示シーケンスから抜ける。
【０１０９】
図１３は、デジタル複合機ＤＣ２において、ユーザが送信状況を知るために、図８に示す送信状況画面を表示させることを選択した場合における動作を示すフローチャートである。
【０１１０】
まず、Ｓ３０では、現在送信中のジョブが存在するか否かどうかをチェックし、存在する場合は、ステップＳ３１へ進み、存在しないときは、ステップＳ３２へ進む。
【０１１１】
次に、Ｓ３１では、現在送信中ジョブのプロトコル情報を取得する。
【０１１２】
また、Ｓ３２では、送信中ジョブが存在しないので、ユーザが設定・登録可能なＲＡＭ２００２の優先表示プロトコル情報エリアにセーブされているプロトコル情報を取得する。ここで、優先表示の登録が無い場合は、全てのプロトコルを表示することを意味する情報を取得する。
【０１１３】
Ｓ３３では、ＲＡＭ２００２に記憶されている文書順（最初は文書１）に、該当文書の送信中、送信待ちといった送信状況情報、中止対象文書（本実施例の場合は、文書１、６、８）であるか否かの情報と、送信プロトコル情報とを取得する。
【０１１４】
Ｓ３４では、該当文書の送信プロトコルが、ステップＳ３１とステップＳ３２とで選択された送信プロトコル情報と一致するか否かをチェックし、一致するときは、ステップＳ３５へ進み、一致しないときは、ステップＳ４０へ進む。
【０１１５】
Ｓ３５では、該当文書が現在、送信処理対象であり、「送信中」（一括送信時のように「送信中」と表示するものを含む）と表示すべきものである場合には、ステップＳ３６へ進み、送信待ち（タイマ送信待ちも含む）等の「送信中」表示以外の状況である場合には、ステップＳ３９へ進む。
【０１１６】
Ｓ３６では、該当文書が現在まさに送信中（送信実行中）である場合（本実施例の場合文書１、６、８）は、ステップＳ３７へ進み、送信実行中の文書でない場合（一括送信時の送信している文書以外の文書で表示上でのみ「送信中」と表示しているもの等）は、ステップＳ３８へ進む。
【０１１７】
Ｓ３７では、送信履歴の「送信中」を表示し、しかも、送信実行中の文書の表示の最後尾に、該当送信文書履歴を表示する。これと同様に、Ｓ３８では、送信履歴の「送信中」表示の最後尾に、該当送信文書履歴を表示し、Ｓ３９では、送信履歴の最後尾に、該当送信文書履歴を表示する。
【０１１８】
Ｓ４０では、まだ表示されていない蓄積文書があれば、ステップＳ３３に戻り、全て表示したときには、送信文書履歴表示シーケンスから抜ける。
【０１１９】
図１１〜図１３に示すフローチャートの動作は、ＨＤＤ２００４からＲＡＭ２００２にロードされたプログラムに基づいて、ＣＰＵ２００１が実行するものである。
【０１２０】
デジタル複合機ＤＣ２では、上記のように、複数のプロトコルで文書の送信を行う装置で、必要に応じて、所望のプロトコル毎に区別して、または、全ての送信文書を一括して、または、送信中のプロトコルの文書、または、予め設定されているプロトコルの文書について、送信状況を表示させることができ、送信実行中の文書を容易に特定することができる。
【０１２１】
なお、デジタル複合機ＤＣ２おいて、送信実行中の文書を一番上位に表示させる代わりに、上下逆にし、送信実行中の文書を一番下位に表示させたり、自動的にスクロールさせて表示領域に表示させるようにしてもよい。
【０１２２】
また、デジタル複合機ＤＣ２では、送信プロトコルとして、「ＦＡＸ」、「ＩＦＡＸ」、「ｆｔｐ」を例にあげたが、これらに限ることなく他のプロトコルを適宜採用するようにしてもよい。
【０１２３】
また、デジタル複合機ＤＣ１、ＤＣ２において、送信状況を上記条件で表示させた後に、オペレータによる操作によって、所定の条件で表示順を変更することができる。
【０１２４】
また、デジタル複合機ＤＣ１、ＤＣ２では、送信実行中の文書のみシフトさせているが、送信処理に入った送信対象の文書を、全てシフトさせて表示するようにしてもよい。
【０１２５】
また、複数の機器（たとえばホストコンピュータ、インタフェース機器、リーダ、プリンタ、通信ユニットの適宜組み合わせ等）によって構成されているシステムに、上記各実施例を適用するようにしてもよく、また、１つの機器（たとえば、ファクシミリ装置等の通信装置等）からなる装置に、上記各実施例を適用するようにしてもよい。
【０１２６】
また、上記各実施例の機能を実現すべく、各種のデバイスを動作させるように、各種デバイスと接続された装置またはシステム内のコンピュータに、上記実施例の機能を実現するためのソフトウエアのプログラムコードを供給し、そのシステムまたは装置のコンピュータ（ＣＰＵまたはＭＰＵ）が格納されているプログラムに従って、各種デバイスを動作させるようにしてもよい。
【０１２７】
また、この場合、ソフトウエアのプログラムコード自体が、上記各実施例の機能を実現することになり、そのプログラムコード自体、およびそのプログラムコードをコンピュータに供給するための手段、たとえば、上記プログラムコードを格納している記憶媒体は、本発明を構成する。
【０１２８】
このようなプログラムコードを格納する記憶媒体として、たとえばフロッピー（登録商標）ディスク、ハードディスク、光ディスク、光磁気ディスク、ＣＤ−ＲＯＭ、磁気テープ、不揮発性のメモリカード、ＲＯＭ等を想定することができる。
【０１２９】
また、供給されたプログラムコードを、コンピュータが実行することによって、上記各実施例の機能を実現することができるだけではなく、そのプログラムコードがコンピュータにおいて稼働しているＯＳ（オペレーティングシステム）、または他のアプリケーションソフト等と協働して、上記各実施例の機能が実現される場合にも、上記プログラムコードは、本発明を構成する。
【０１３０】
さらに、供給されたプログラムコードが、コンピュータの機能拡張ボードやコンピュータに接続された機能拡張ユニットに備わるメモリに格納された後に、そのプログラムコードの指示に基づいて、その機能拡張ボードや機能格納ユニットに備わるＣＰＵ等が、実際の処理の一部または全部を行い、その処理によって上記各実施例の機能が実現される場合も、本発明を構成する。
【０１３１】
なお、デジタル複写機以外のデータ通信装置に、上記実施例を適用するようにしてもよい。
【０１３２】
【発明の効果】
本発明によれば、メモリに蓄積されている複数のデータのうちで、送信中のデータを容易に特定できるという効果を奏する。
【図面の簡単な説明】
【図１】本発明の一実施例であるデジタル複写機ＤＣ１を示すブロック図である。
【図２】上記実施例におけるメモリコントローラ１２が記憶している文書の内容の一例を示す図である。
【図３】上記実施例において、表示装置１６が表示している送信状況画面を示す図である。
【図４】本実施例において、ファクシミリ送信履歴を表示させる動作を示すフローチャートである。
【図５】本発明の第２の実施例であるデータ通信装置ＤＣ２を接続したシステム構成図を示す。
【図６】デジタル複合機ＤＣ２の構成を示すシステムブロック図である。
【図７】デジタル複合機ＤＣ２におけるＲＡＭ２００２が記憶している文書の内容の一例を示す図である。
【図８】デジタル複合機ＤＣ２において、表示装置２０１３が表示している送信状況画面の一画面目を示す図である。
【図９】デジタル複合機ＤＣ２において、送信状況画面の二画面目を示す図である。
【図１０】図８に示す画面中の「ＦＡＸ」ボタンが押下されたときにおける送信状況画面を示す図である。
【図１１】デジタル複合機ＤＣ２において、送信履歴を表示させる動作を示すフローチャートである。
【図１２】デジタル複合機ＤＣ２において、ユーザが選択したプロトコルの送信履歴を表示させる動作を示すフローチャートである。
【図１３】デジタル複合機ＤＣ２において、ユーザが送信状況を知るために、図８に示す送信状況画面を表示させることを選択した場合における動作を示すフローチャートである。
【符号の説明】
ＤＣ１、ＤＣ２…デジタル複写機、
１０…ＣＰＵ、
１１…画像メモリ、
１２…メモリコントローラ、
１３…ファクシミリ制御部、
１４…プリント制御部、
１５…読取制御部、
１６…表示部、
１７…コーデック。
【図１】
0003862530.tif 000002
【図２】
0003862530.tif 000003
【図３】
0003862530.tif 000004
【図４】
0003862530.tif 000005
【図５】
0003862530.tif 000006
【図６】
0003862530.tif 000007
【図７】
0003862530.tif 000008
【図８】
0003862530.tif 000009
【図９】
0003862530.tif 000010
【図１０】
0003862530.tif 000011
【図１１】
0003862530.tif 000012
【図１２】
0003862530.tif 000013
【図１３】
0003862530.tif 000014